(57)【特許請求の範囲】
【請求項１】
純正カバーが被覆された自動車シートの座部に前記純正カバーの上から被覆されるシートカバーであって、
前記座部の表面全体を覆うカバー本体と、該カバー本体の下端縁部に取り付けられ前記純正カバーを前記座部のフレームの被掛止部に掛け止めている純正カバー掛止具の上に着脱自在に係止するカバー取付具を備え、
前記カバー取付具が、互いに対向し一方が他方よりも高い一対の対向部と、これら対向部の下端同士を曲線的に接続して断面フック状とする接続部と、前記一対の対向部の内側面に前記接続部方向に向かって斜めに突出する突出部分を有した形状の長尺状に形成され、
前記一対の対向部の高さが共に前記純正カバー掛止具の対応部位よりも高く形成され、
前記カバー取付具の高さが高い方の対向部の外側面における接続部と反対側の部分が、前記カバー本体の裏面に対して端を揃えて取り付けられた
シートカバー。
【請求項２】
前記カバー本体が前記座部の正面を覆う正面部と前記座部の両側面部を覆う両側面部を有し、
前記カバー取付具が前記正面部と前記両側面部の下端縁における角部分以外の部分に分けて取り付けられた
請求項１に記載のシートカバー。
【請求項３】
一対の前記対向部の一端部分で構成する開口部における開口間隔を、前記被掛止部に掛け止められている前記純正カバー掛止具の位置における前記純正カバーの厚さに比べて広く形成した
請求項１または請求項２に記載のシートカバー。
【請求項４】
前記突出部分を、前記カバー取付具の開口深さ方向に複数箇所設けた
請求項１から請求項３のうちいずれか一項に記載のシートカバー。
【請求項５】
対向する前記突出部分の先端間の間隔が、前記被掛止部に掛け止められている前記純正カバー掛止具の対応位置における前記純正カバーの厚さに比べて狭い
請求項１から請求項４のうちいずれか一項に記載のシートカバー。
【請求項６】
純正カバーが被覆された自動車シートの座部に前記純正カバーの上から被覆されるシートカバーに備えられるカバー取付具であって、
前記純正カバーを前記座部のフレームに掛け止めている純正カバー掛止具の上に着脱自在に係止可能であり、
互いに対向し一方が他方よりも高い一対の対向部と、これら対向部の下端同士を曲線的に接続して断面Ｕ字状とする接続部と、前記一対の対向部の内側面に前記接続部方向に向かって斜めに突出する突片を有した形状の長尺状に形成され、
前記一対の対向部の高さが共に前記純正カバー掛止具の対応部位よりも高く形成され、
高さが高い方の前記対向部の外側面における接続部と反対側の部分が、前記シートカバーの裏面に対して端を揃えて取り付けられる
カバー取付具。
【発明の詳細な説明】
【技術分野】
【０００１】
この発明は、純正カバーを覆う態様で自動車用シートの座部に装着するシートカバー及びカバー取付具に関する。
【背景技術】
【０００２】
自動車用シートの座部は、例えば図１０に示すように、座部２００の底面側に位置する金属製のフレーム５０１と、該フレーム５０１の上に載置したウレタン製のクッション材４０１と、該クッション材４０１を覆う布製の純正カバー３０１とで構成している。
【０００３】
上述の純正カバー３０１は、下端縁３１２に沿って備えた純正カバー掛止具３２０を、座部２００を構成するフレーム５０１の被掛止部５２０に掛け止めることによりクッション材４０１を覆う態様で装着している（特許文献１乃至４参照）。
【０００４】
詳しくは、フレーム５０１の被掛止部５２０は、底面視逆Ｕ字状で下方に向かって略板状に延出する形状に形成している。一方で、純正カバー３０１の純正カバー掛止具３２０は、上述のフレーム５０１の被掛止部５２０の形状に対応する底面視逆Ｕ字状に備えている。純正カバー３０１の純正カバー掛止具３２０は、互いに対向すると共に高さの異なる一対の対向部を有する横断面フック状に形成した合成樹脂部材であり、高さの高い側を純正カバー３０１の下端縁３１２に沿って縫着して備えている。
【０００５】
さらに、横断面フック状の純正カバー掛止具３２０は、適宜の係止突片３５３を対向面３５２に設けていると共に、被掛止部５２０は、該係止突片３５３が係止する係止部５２１を設けるなどしている。
【０００６】
上述のように純正カバー掛止具３２０及び被掛止部５２０を、底面視逆Ｕ字状に形成すると共に、夫々に係止突片３５３、係止部５２１等を備えた構成とすることにより、純正カバー３０１がフレーム５０１から簡単に外れないように、純正カバー掛止具３２０を被掛止部５２０に対して強固に固定して掛け止めている。
【０００７】
ところで、純正カバー３０１と同様の形状の高級感のあるシートカバーを純正カバー３０１を覆う態様で座部２００に装着することが従来から行われている。  
上述のシートカバーは、例えば図１１に示すように、純正カバー掛止具３２０と同様の構成のカバー取付具９２０をシートカバー９０１の下端縁９１２に沿って備え、純正カバー掛止具３２０をフレーム５０１の被掛止部５２０から取り外して、代わりに、カバー取付具９２０を被掛止部５２０に掛け止めることにより装着していた。
【０００８】
しかしながら、狭い車内において被掛止部５２０に強固に固定して掛け止めている純正カバー掛止具３２０を取り外し、カバー取付具９２０を座部２００の底面側に位置する略板状の被掛止部５２０に掛け止めなければならず、シートカバー９０１の装着が困難で手間がかかる問題があった。
【先行技術文献】
【特許文献】
【０００９】
【特許文献１】特開２００９−１１２６９８号公報
【特許文献２】特開平１１−３４２２７８号公報
【特許文献３】実開平３−８７３９７号公報
【特許文献４】実開平１−１１９５９７号公報
【発明の概要】
【発明が解決しようとする課題】
【００１０】
そこで、この発明は、純正カバー掛止具を被掛止部から取り外すことなく、純正カバーを覆う態様で自動車用シートの座部に装着できるシートカバーを提供することを目的とする。
【課題を解決するための手段】
【００１１】
この発明は、純正カバーが被覆された自動車シートの座部に前記純正カバーの上から被覆されるシートカバーであって、前記座部の表面全体を覆うカバー本体と、該カバー本体の下端縁部に取り付けられ前記純正カバーを前記座部のフレームの被掛止部に掛け止めている純正カバー掛止具の上に着脱自在に係止するカバー取付具を備え、前記カバー取付具が、互いに対向し一方が他方よりも高い一対の対向部と、これら対向部の下端同士を曲線的に接続して断面フック状とする接続部と、前記一対の対向部の内側面に前記接続部方向に向かって斜めに突出する突出部分を有した形状の長尺状に形成され、前記一対の対向部の高さが共に前記純正カバー掛止具の対応部位よりも高く形成され、前記カバー取付具の高さが高い方の対向部の外側面における接続部と反対側の部分が、前記カバー本体の裏面に対して端を揃えて取り付けられたシートカバーである。
【００１２】
この発明により、前記シートカバーは、前記純正カバー掛止具を前記被掛止部から取り外すことなく、前記純正カバーを覆う態様で前記自動車用シートの前記座部に装着することができる。
【００１３】
詳しくは、前記シートカバーは、前記純正カバー掛止具に対する掛け止めを許容する前記カバー取付具を、前記カバー本体の下端縁部に備えている。これにより、前記シートカバーは、前記カバー本体で前記座部を覆い、前記カバー取付具を下方に引き込んで、前記被掛止部に掛け止められている前記純正カバー掛止具に対して前記カバー取付具を掛け止めて前記座部に装着することができる。  
したがって、前記シートカバーは、前記純正カバー掛止具を前記被掛止部から取り外すことなく、前記純正カバーを覆う態様で前記自動車用シートの前記座部に装着することができる。
この発明の態様として、前記カバー本体が前記座部の正面を覆う正面部と前記座部の両側面部を覆う両側面部を有し、前記カバー取付具が前記正面部と前記両側面部の下端縁における角部分以外の部分に分けて取り付けることができる。
【００１４】
この発明の態様として、一対の前記対向部の一端部分で構成する開口部における開口間隔を、前記被掛止部に掛け止められている前記純正カバー掛止具の位置における前記純正カバーの厚さに比べて広く形成することができる。
【００１５】
この発明により、前記カバー取付具を、前記座部の死角となっている底面側に位置する前記被掛止部に掛け止められている前記純正カバー掛止具に対して、厳密な位置合わせを要さずに掛け止めることができる。したがって、前記自動車用シートの前記座部に容易に装着することができる。
【００１６】
また、この発明の態様として、前記突出部分を、前記カバー取付具の開口深さ方向に複数箇所設けることができる。  
この発明により、前記カバー取付具を、前記被掛止部に掛け止められている前記純正カバー掛止具に対して強固に固定することができる。したがって、カバー取付具の開口深さ方向の掛け止め位置を調整することにより、カバー本体の張り具合を調整することができる。
【００１７】
また、この発明の態様として、対向する前記突出部分の先端間の間隔を、前記被掛止部に掛け止められている前記純正カバー掛止具の対応位置における前記純正カバーの厚さに比べて狭くする
ことができる。
【００１８】
この発明により、前記カバー取付具を前記純正カバー掛止具に対して厳密な位置合わせを要さずに掛け止めることができると共に、前記カバー取付具を前記純正カバー掛止具に対して位置を固定して掛け止めることができる。
【００１９】
また、この発明は、純正カバーが被覆された自動車シートの座部に前記純正カバーの上から被覆されるシートカバーに備えられるカバー取付具であって、前記純正カバーを前記座部のフレームに掛け止めている純正カバー掛止具の上に着脱自在に係止可能であり、互いに対向し一方が他方よりも高い一対の対向部と、これら対向部の下端同士を曲線的に接続して断面Ｕ字状とする接続部と、前記一対の対向部の内側面に前記接続部方向に向かって斜めに突出する突片を有した形状の長尺状に形成され、前記一対の対向部の高さが共に前記純正カバー掛止具の対応部位よりも高く形成され、高さが高い方の前記対向部の外側面における接続部と反対側の部分が、前記シートカバーの裏面に対して端を揃えて取り付けられるカバー取付具である。
【発明の効果】
【００２０】
この発明により、純正カバー掛止具を被掛止部から取り外すことなく、純正カバーを覆う態様で自動車用シートの座部に装着できるシートカバーを提供することができる。
【図面の簡単な説明】
【００２１】
【図１】カバー取付具を備えたシートカバーと自動車用シートの斜視図。
【図２】カバー取付具を備えたシートカバーの底面図。
【図３】カバー取付具の説明図。
【図４】カバー取付具をカバー本体に縫着して備えた様子の説明図。
【図５】自動車用シートの座部にシートカバーを装着する途中の状態の端面図。
【図６】自動車用シートの座部にシートカバーを装着する途中の状態の端面図。
【図７】自動車用シートの座部にシートカバーを装着した状態の端面図。
【図８】第２実施形態のシートカバーを装着した状態の端面図。
【図９】第２実施形態のシートカバーの別の装着態様の端面図。
【図１０】図１のＡ−Ａ線端面における左側端部分を拡大した端面図。
【図１１】従来のシートカバーの装着状態の端面図。
【発明を実施するための形態】
【００２２】
（第１実施形態）  
この発明の第１実施形態のシートカバー１について、以下図１乃至図７、及び、図１０と共に説明する。  
図１は、カバー取付具２０を備えたシートカバー１と自動車用シート１００の斜視図を示し、図２は、カバー取付具２０を備えたシートカバー１の底面図を示している。
【００２３】
また、図３は、カバー取付具２０の説明図を示している。詳しくは、図３（ａ）は、カバー取付具２０の斜視図を示し、図３（ｂ）は、図３（ａ）におけるＢ−Ｂ線拡大端面図を示している。
【００２４】
また、図４は、カバー取付具２０をシートカバー１のカバー本体１０に縫着して備えた様子の説明図を示している。詳しくは、図４（ａ）は、カバー本体１０の裏面１１の側から右側面部１４を見た斜視図を示し、図４（ｂ）は、図４（ａ）におけるＣ−Ｃ線拡大端面図を示している。
【００２５】
また、図５及び図６は、図１のＡ−Ａ線端面における左側端部分の拡大図に対応する自動車用シート１００の座部２００にシートカバー１を装着する途中の状態の一部拡大端面図を示し、図７は、自動車用シート１００の座部２００にシートカバー１を装着した状態の一部拡大端面図を示している。  
さらに、図１０は、図１におけるＡ−Ａ線端面の左側端部分の拡大図を示している。
【００２６】
自動車用シート１００は、図１に示すように、座部２００、背もたれ部７００及びヘッドレスト８００等で構成している。  
シートカバー１を装着する自動車用シート１００の座部２００は、図１０に示すように、底面側に位置し、座部２００の骨格を形成する金属製のフレーム５０１と、フレーム５０１に載置したウレタン製のクッション材４０１と、クッション材４０１及びフレーム５０１を覆う布製の純正カバー３０１とで構成している。
【００２７】
ここで、フレーム５０１は、平面視略正方形の平面部５１０と、平面部５１０の前端及び両側端から下方に向かって板状に延びる底面視逆Ｕ字状の被掛止部５２０とで構成している。さらに、被掛止部５２０は、下端部分に被掛止部５２０の他の部分に比べて横断面における横幅を広く形成した係止部５２１を備えている。
【００２８】
純正カバー３０１は、純正カバー本体３１０と、純正カバー本体３１０の裏面３１１に下端縁３１２に沿って備えた純正カバー掛止具３２０とで構成している。  
さらに、純正カバー本体３１０は、布製部材を縫製することにより、乗員が着座する平面視略正方形の着座面部３１６と、着座面部３１６の前端及び両方の側端から下方に向かって底面視逆Ｕ字状に延びる正面部３１３、右側面部及び左側面部３１５を有する形状に形成している。なお、全ての図面において純正カバー本体３１０の縫製による布製部材同士の繋ぎ目を省略する。
【００２９】
純正カバー掛止具３２０は、純正カバー本体３１０の底面視逆Ｕ字状の下端縁３１２に沿った長さを有する長尺状に形成した樹脂製部材である。純正カバー掛止具３２０は、長手方向をＵ字状に変形可能な柔軟性を有している。
【００３０】
また、純正カバー掛止具３２０は、互いに対向する第１対向側面部３４０及び第２対向側面部３５０と、これらの下端部分同士を接続する接続部３３０とで横断面フック状に形成している。
【００３１】
また、純正カバー掛止具３２０は、第１対向側面部３４０と第２対向側面部３５０を被掛止部５２０の係止部５２１の横断面における横幅と同じ間隔だけ隔てて形成している。純正カバー掛止具３２０は、第１対向側面部３４０の横断面における高さを第１対向側面部３５０に比べて高く形成している。
【００３２】
さらに、純正カバー掛止具３２０は、第２対向側面部３５０の自由端部分３５１に第１対向側面部３４０に向かって突出する係止突片３５３を備えている。純正カバー掛止具３２０は、長手方向に一様な形状に形成している。
【００３３】
純正カバー掛止具３２０は、純正カバー本体３１０の裏面３１１に第１対向側面部３４０の外側面３４５が接触する態様で、第１対向側面部３４０の自由端部分３４１と純正カバー本体３１０の下端縁３１２を揃えて、自由端部分３４１と下端縁３１２を縫製糸３８０で縫着することで備えている。純正カバー掛止具３２０は、純正カバー本体３１０の下端縁３１２に沿って底面視逆Ｕ字状に備えている。
【００３４】
純正カバー３０１は、純正カバー本体３１０の下端縁３２０を被掛止部５２０の内側に巻き込んだ態様で、純正カバー掛止具３２０を第１対向側面部３４０が被掛止部５２０の内側となるように掛け止めて装着されている。
【００３５】
また、純正カバー掛止具３２０は、被掛止部５２０に隙間無く嵌る態様で掛け止められている。さらに、純正カバー掛止具３２０は、係止突片３５３を被掛止部５２０の係止部５２１に係止する態様で掛け止められている。
【００３６】
上述の自動車用シート１００の座部２００に装着するシートカバー１は、図１乃至図４に示すように、座部２００を覆うカバー本体１０と、カバー本体１０の裏面１１の下端縁１２に沿って備えたカバー取付具２０とで構成している。
【００３７】
カバー本体１０は、縫製により座部２００を隙間なく覆う形状に形成した合成皮革製部材である。なお、全ての図面においてカバー本体１０の縫製による合成皮革同士の繋ぎ目を省略する。
【００３８】
詳しくは、カバー本体１０は、座部２００の着座面部３１６を覆う着座面部１６と、着座面部１６の前端及び両方の側端から下方に向かって底面視逆Ｕ字状に延出し、座部２００の正面部３１３、右側面部及び左側面部３１５を夫々覆う正面部１３、右側面部１４及び左側面部１５を有する形状に形成している。
【００３９】
また、カバー取付具２０は、長尺状かつ横断面フック状に成形した合成樹脂製部材である。  
詳しくは、カバー取付具２０は、夫々、カバー本体１０の正面部１３、右側面部１４及び左側面部１５における下端縁１２に沿った長さと略同一の長さを有する長尺状に形成している。
【００４０】
また、カバー取付具２０は、互いに対向する第１対向側面部４０及び第２対向側面部５０と、第１対向側面部４０と第２対向側面部５０の各下端部分同士を接続する接続部３０とで横断面フック状に形成している。
【００４１】
また、カバー取付具２０は、第１対向側面部４０の横断面における高さを第２対向側面部５０に比べて高く形成している。なお、カバー取付具２０は、第２対向側面部５０の自由端部分５１において開口する開口部Ｓを有する。
【００４２】
また、カバー取付具２０は、第１対向側面部４０と第２対向側面部５０を長手方向Ｌに長尺な略平板状に形成している。カバー取付具２０は、第１対向側面部４０と第２対向側面部５０との開口部Ｓにおける開口間隔Ｄを、被掛止部５２０に掛け止められている純正カバー掛止具３２０の位置における純正カバー３０１の厚さＷに比べて広く形成している。
【００４３】
また、カバー取付具２０は、第１対向側面部４０と接続部３０、及び、第２対向側面部５０と接続部３０が曲線的に接続する横断面の形状に形成している。  
また、カバー取付具２０は、第２対向側面部５０の自由端部分５１から第１対向側面部４０及び接続部３０に向かって突出する第２突片５３を備えている。同様に、カバー取付具２０は、第２対向側面部５０における第２突片５３と同じ高さ位置に、第２対向側面部５０及び接続部３０に向かって突出する第１突片４３を備えている。
【００４４】
さらに、カバー取付具２０は、第１対向側面部４０と第２対向側面部５０との間において最も狭い第１突片４３と第２突片５３との間の最小間隔ｍを、被掛止部５２０に掛け止められている純正カバー掛止具３２０の位置における純正カバー３０１の厚さＷに比べて狭く形成している。  
第１突片４３と第２突片５３は、被掛止部５２０に掛け止められている純正カバー掛止具３２０を挟持又は係止する。カバー取付具２０は、長手方向Ｌに一様に形成している。
【００４５】
シートカバー１は、カバー取付具２０を、カバー本体１０の裏面１１に第１対向側面部４０の外側面４５が接触する態様で、第１対向側面部４０の自由端部分４１と純正カバー本体１０の下端縁１２を揃えた倒立姿勢で備えている。シートカバー１は、自由端部分４１と下端縁１２とを下端縁１２に沿って縫製糸８０で縫着することで備えている。
【００４６】
なお、第１対向側面部４０の横断面における高さを第２対向側面部５０に比べて高く形成していることにより、容易に縫製することができる。  
また、シートカバー１は、カバー本体１０の正面部１３、右側面部１４及び左側面部１５における夫々の下端縁１２に３つの別体構成したカバー取付具２０を備えている。シートカバー１は、純正カバー掛止具２０を純正カバー本体１０の下端縁１２における正面部１３と右側面部１４との間の角部及び正面部１３と左側面部１５との間の角部以外の部分に底面視略逆Ｕ字状に備えている。
【００４７】
なお、カバー取付具２０は、第１対向側面部４０と第２対向側面部５０を、後述のように、被掛止部５２０に掛け止められている純正カバー掛止具３２０に対して第２対向側面部５０の自由端部分５１を支点として倒立姿勢から反転させて掛け止める際に広げることを要する開口間隔Ｄを隔てて形成している。
【００４８】
上述のシートカバー１は、図５乃至図７に示すように、自動車用シート１００の座部２００に装着する。  
先ず、シートカバー１のカバー本体１０を、自動車用シート１００の座部２００に純正カバー３０１を覆う態様で被覆する。次に、例えば座部２００の正面部においてカバー本体１０の正面部１３における下端縁１２に沿って備えているカバー取付具２０を下方に引き込みながら倒立姿勢から反転させる。
【００４９】
続いて、カバー取付具２０の第２突片５３を、純正カバー３０１を介して被掛止部５２０に当接させる。そして、第２対向側面部５０の自由端部分５１を支点として、開口間隔Ｄを押し広げながらカバー取付具２０をさらに反転させて、被掛止部５２０に掛け止められている純正カバー掛止具３２０に対して掛け止める。このようにして、カバー本体１０を被掛止部５２０の内側へ巻き込み、下方に引き込んで座部２００に密着させた状態で装着することができる。  
なお、第１対向側面部４０の横断面における高さを第２対向側面部５０に比べて高く形成していることにより、カバー本体１０の引き込み量を増大させることができる。
【００５０】
同様に、座部２００の右側面部及び左側面部３１５において、夫々カバー本体１０の右側面部１４及び左側面部１５における下端縁１２に備えているカバー取付具２０を被掛止部５２０に掛け止めて、シートカバー１を座部２００に装着する。
【００５１】
シートカバー１を座部２００に装着した状態において、カバー取付具２０の第１対向側面部４０と第２対向側面部５０との開口間隔Ｄが掛け止める前の状態の開口間隔Ｄと略一致する形状を保持する。さらに、カバー取付具２０の接続部３０が、図７に示すように、純正カバー掛止具３２０の接続部３３０と当接する。
【００５２】
また、カバー取付具２０の第２突片５３が、被掛止部５２０の係止部５２１に係止している係止突片３５３に対して係止する。さらに、カバー取付具２０の第１突片４３と第２突片５３が樹脂の弾性力により被掛止部５２０に掛け止められている純正カバー掛止具３２０を挟持する。
【００５３】
（第２実施形態）  
次に、この発明の第２実施形態のシートカバー１’を、以下図８及び図９と共に説明する。なお、上述の第１実施形態のシートカバー１と同じ構成については、同じ符号を付し説明を省略する。
【００５４】
図８は、図１におけるＡ−Ａ線端面の左側端部分の拡大図に対応する自動車用シート１００の座部２００にシートカバー１’を装着した状態の拡大一部端面図を示している。また、図９は、シートカバー１’の別の装着態様の拡大一部端面図を示している。
【００５５】
シートカバー１’のカバー取付具２０’は、第１対向側面部４０’に第１上側突片４３’と第１下側突片４４’を備えていると共に、第２対向側面部５０’に第２上側突片５３’と第２下側突片５４’を備えている。
【００５６】
詳しくは、カバー取付具２０’は、第２対向側面部５０’の自由端部分５１’から第１対向側面部４０’及び接続部３０に向かって突出する第２上側突片５３’に加え、第２対向側面部５０’の開口深さ方向ｄの中間位置から第１対向側面部４０’及び接続部３０に向かって突出する第２下側突片５４’を備えている。
【００５７】
また、カバー取付具２０’は、第１対向側面部４０’における第２上側突片５３’及び第２下側突片５４’と略同一の開口深さ方向ｄの位置に、第２対向側面部５０’及び接続部３０に向かって突出する第１上側突片４３’及び第１下側突片４４’を備えている。
【００５８】
さらに、カバー取付具２０’は、第１対向側面部４０’と第２対向側面部５０’との間において最も狭い第１上側突片４３’と第２上側突片５３’との間及び第１下側突片４４’と第２下側突片５４’との間の最小間隔ｍを、被掛止部５２０に掛け止められている純正カバー掛止具３２０の位置における純正カバー３０１の厚さＷに比べて狭く形成している。
【００５９】
第１上側突片４３’と第２上側突片５３’及び第１下側突片４４’と第２下側突片５４’は、被掛止部５２０に掛け止められている純正カバー掛止具３２０を挟持又は係止する。カバー取付具２０は、長手方向Ｌに一様に形成している。
【００６０】
シートカバー１’を座部２００に装着した状態において、カバー取付具２０’の接続部３０が、図８に示すように、純正カバー掛止具３２０の接続部３３０と当接する。
【００６１】
また、カバー取付具２０’の第２下側突片５４’が被掛止部５２０の係止部５２１に係止している係止突片３５３に対して係止する。さらに、カバー取付具２０’の第１下側突片４４’と第１下側突片５４’が樹脂の弾性力により被掛止部５２０に掛け止められている純正カバー掛止具３２０を挟持する。  
カバー取付具２０’は、純正カバー掛止具３２０を挟持又は係止する突片を開口深さ方向ｄに複数箇所備えていることにより、被掛止部５２０に強固に固定することができる。
【００６２】
これにより、カバー取付具２０’は、図９に示すように、接続部３０と純正カバー掛止具３２０の接続部３３０との間に隙間を生じる態様で、被掛止部５２０に掛け止められている純正カバー掛止具３２０に対して掛け止めることもできる。したがって、カバー取付具２０’の開口深さ方向ｄの掛け止め位置を調整することにより、カバー本体１０の張り具合を調整することができる。
【００６３】
上述のシートカバー１，１’の構成により、以下に述べる作用効果を奏する。  
シートカバー１，１’は、純正カバー掛止具３２０に対する掛け止めを許容するカバー取付具２０，２０’を、カバー本体１０の下端縁１２に備えている。これにより、シートカバー１，１’は、カバー本体１０で座部２００を覆い、カバー取付具２０，２０’を下方に引き込んで、被掛止部５２０に掛け止められている純正カバー掛止具３２０に対してカバー取付具２０，２０’を掛け止めて座部２００に装着することができる。
【００６４】
したがって、シートカバー１，１’は、純正カバー掛止具３２０を被掛止部５２０から取り外すことなく、純正カバー３０１を覆う態様で自動車用シート１００の座部２００に装着することができる。
【００６５】
また、シートカバー１，１’は、開口間隔Ｄを厚さＷに比べて広く形成したことにより、カバー取付具２０，２０’を、座部２００の死角となっている底面側に位置する被掛止部５２０に掛け止めている純正カバー掛止具３２０に対して、厳密な位置合わせを要さずに掛け止めることができる。したがって、シートカバー１，１’は、自動車用シート１００の座部２００に容易に装着することができる。
【００６６】
さらに、一般にフレーム５０１の被掛止部５２０は、バリを除去するなどの表面処理が施されておらず、従来のシートカバーでは純正カバー掛止具３２０を被掛止部５２０から取り外してカバー取付具９２０を掛け止める際にバリ等から指を保護する必要があった。
【００６７】
上述のシートカバー１，１’は、被掛止部５２０に掛け止めている純正カバー掛止具３２０に対してカバー取付具２０，２０’を掛け止めることができるため、上述のように指を保護する必要がない。
【００６８】
また、シートカバー１，１’は、第１突片４３、第２突片５３等を接続部３０に向かって突出する構成としたことにより、カバー取付具２０，２０’を、純正カバー掛止具３２０に対して第１突片４３、第２突片５３等で挟持又は係止する態様で容易に掛け止めることができると共に、カバー取付具２０，２０’が純正カバー掛止具３２０から外れることを確実に防止することができる。
【００６９】
また、シートカバー１，１’は、最小間隔ｍを厚さＷに比べて狭く形成したことにより、カバー取付具２０，２０’を純正カバー掛止具３２０に対して厳密な位置合わせを要さずに掛け止めることができると共に、カバー取付具２０，２０’を純正カバー掛止具３２０に対して位置を固定して掛け止めることができる。
【００７０】
さらに、カバー取付具２０，２０’は、第１対向側面部４０，４０’と接続部３０及び第２対向側面部５０，５０’と接続部３０が、夫々曲線的に接続する形状に形成している。これにより、接続部分に応力が集中し難く、破壊や塑性変形し難い。
【００７１】
また、カバー取付具２０，２０’は、第１対向側面部４０の横断面における高さを第２対向側面部５０に比べて高く形成すると共に、第２対向側面部５０の自由端部分５１を支点として倒立姿勢から反転させて純正カバー掛止具３２０に掛け止める際に、広げることを要する開口間隔Ｄで第１対向側面部４０，４０’と第２対向側面部５０，５０’とを形成している。これにより、カバー本体１０の上向きに引っ張る力により純正カバー掛止具３２０から外れることを防止できる。
【００７２】
この発明の構成と上述の実施形態の対応において、
縁部は、下端縁１２に対応し、
以下同様に、
カバー取付具の対向部は、第１対向側面部４０，４０’及び第２対向側面部５０，５０’に対応し、
一端部分は、自由端部分５１，５１’に対応し、
突出部分は、第１突片４３、第２突片５３、第１上側突片４３’、第１下側突片４４’、第２上側突片５３’及び第２下側突片５４’に対応し、
純正カバー掛止具の対向部は、第１対向側面部３４０及び第２対向側面部３５０に対応するも、
この発明は、上述の実施形態の構成のみに限定されるものではなく多くの実施形態を得ることができる。
【符号の説明】
【００７３】
１，１’…シートカバー
１０…カバー本体
１２…下端縁
２０，２０’…カバー取付具
３０…接続部
４０，４０’…第１対向側面部
４３…第１突片
４３’…第１上側突片
４４’…第１下側突片
５０，５０’…第２対向側面部
５１，５１’…自由端部分
５３…第２突片
５３’…第２上側突片
５４’…第２下側突片
１００…自動車用シート
２００…座部
３０１…純正カバー
３２０…純正カバー掛止具
３４０…第１対向側面部
３５０…第２対向側面部
５０１…フレーム
５２０…被掛止部
Ｄ…開口間隔
ｍ…最小間隔
Ｓ…開口部
Ｗ…厚さ
ｄ…開口深さ方向
【図１】
0005876255.tif 000002
【図２】
0005876255.tif 000003
【図３】
0005876255.tif 000004
【図４】
0005876255.tif 000005
【図５】
0005876255.tif 000006
【図６】
0005876255.tif 000007
【図７】
0005876255.tif 000008
【図８】
0005876255.tif 000009
【図９】
0005876255.tif 000010
【図１０】
0005876255.tif 000011
【図１１】
0005876255.tif 000012